(57)【要約】【課題】  部品の加工誤差、組み立て時の誤差等により傾斜したハウジングを、定盤の前後方向に伸びる側縁に対し平行になるように矯正する機構を採用し、もって加工精度が落ちることが無く、操作性の良い携帯用電動切断機を提供する。【解決手段】  切り込み深さ調整機構（５）を有する携帯用電動切断機において、ガイドリンク（１７）が定盤（４）に対し直角に起立するための当接部（２４ｄ，２８）を、定盤（４）とガイドリンク（１７）との間に設けた。【選択図】図４
2008114392.tif 000002
【特許請求の範囲】
【請求項１】
モータおよび鋸刃を収納するハウジングと、
このハウジングの下方に配置され、ハウジングの前端部に枢軸を介して回動可能に連結された定盤と、
定盤の後端部に軸止する枢ピンを中心に鋸刃の側面に対し直角に回動可能に定盤に連結され、ハウジングに摺接するガイドリンクと、このガイドリンクとハウジングとを固定する固定手段とからなる切り込み深さ調整機構を有する携帯用電動切断機において、
ガイドリンクが定盤に対し直角に起立するための当接部を、定盤とガイドリンクとの間に設けたことを特徴とする携帯用電動切断機。
【請求項２】
ハウジングは鋸刃を収納するとともに鋸刃の側面に平行な面を有する鋸刃カバーからなり、ガイドリンクは、鋸刃カバーにあって鋸刃の側面に平行な面に摺接するとともに、その後端部を定盤の後端部に軸止する枢ピンを中心に定盤に対して直角に回動可能な支持部材に支軸を介して連結されていることを特徴とする請求項１に記載の携帯用電動切断機。
【請求項３】
定盤またはガイドリンクのいずれか一方の当接部を突出部とし、この突出部の突出量を調整可能としたことを特徴とする請求項１または２に記載の携帯用電動切断機。
【発明の詳細な説明】
【技術分野】
【０００１】
本発明は、携帯用電動丸鋸等の携帯用電動切断機に関する。
【背景技術】
【０００２】
従来携帯用電動切断機の一種である携帯用電動丸鋸は、モータ等を収納したモータケースと、複数のギアを収納するギアケース及び鋸刃を収納する鋸刃カバーとからなるハウジングと、ハウジングの前端部と枢軸を介し回動可能に連結された定盤とを有する。また、定盤の略中央部には鋸刃が定盤の下方へと貫通する開口が形成され、枢軸を支点にして定盤の回動量を調整することにより、鋸刃が開口から定盤の下方に突出する量、すなわち被切断材に対する切り込み深さを調整するための切り込み深さ調整機構が設けられている。
【０００３】
切り込み深さ調整機構は、定盤の後端部からハウジングの一部を構成する鋸刃カバーに沿うように起立するガイドリンクと、ガイドリンクをハウジングの一部を構成する鋸刃カバーに固定する固定手段とを備えている。定盤をハウジングに対して所望角度だけ回転させたところで固定手段によりガイドリンクをハウジングに固定すると、鋸刃が開口から定盤の下方へ所望量突出し、これにより被切断材に対する切り込み深さが所望の量に設定される（例えば、特許文献１，２参照）。
【０００４】
【特許文献１】特開昭６１−９８５０１号公報
【特許文献２】実公平８−８８０１号公報
【発明の開示】
【発明が解決しようとする課題】
【０００５】
従来の切り込み深さ調整機構は、図７乃至図９に示すように、ハウジング２００の一部を構成する鋸刃カバー２００Ｃの前端部に枢軸３００を介して定盤４００を回動可能に連結し、固定手段にてガイドリンク１７０とハウジング２００を固定している。通常、ハウジング２００は、鋸刃１００の側面が定盤４００の側縁４００ｂに対し平行になっているものとしてガイドリンク１７０と固定される。しかし、各部材の加工時の寸法誤差、組み立て時の誤差等により、ハウジング２００が定盤４００の前後方向に伸びる側縁４００ｂに対し傾斜して取り付けられる場合がある（図７では、ハウジング２００の傾斜を鋸刃１００の傾斜（Θ１）として表している。）。このようにハウジング２００が傾斜した状態で、ガイドリンク１７０が定盤４００に固定されていない場合、図８、図９に示すように、ガイドリンク１７０がハウジング２００の傾斜に引き寄せられて枢ピン２５０ｂを中心に傾斜（Θ２）してしまい、鋸刃１００が定盤の前後方向に伸びる側縁４００ｂに対し平行にならず、被切断材が切断方向の左右いずれかの方向にずれて切断され、加工精度が落ちるとともに、ハウジング２００を把持する手を左右にねじる力が働き操作性が低下するという問題を有する。また、ハウジング２００が定盤４００の側縁４００ｂに平行であってもハンドル１４０を介してハウジング２００を下方に押し付ける力が働いた場合、ガイドリンク１７０とともにハウジング２００が枢ピン２５０ｂを中心に傾斜（Θ３）し、加工精度が落ちるという問題もある。
【０００６】
そこで、本発明は、部品の加工誤差、組み立て時の誤差等により傾斜したハウジングを、定盤の前後方向に伸びる側縁に対し平行になるように矯正できるとともに、ハウジングを下方に押し付ける力が働いた場合でも、ハウジングが傾斜することがない構成を採用し、もって加工精度が落ちることが無く、操作性の良い携帯用電動切断機を提供することを目的とする。
【課題を解決するための手段】
【０００７】
上記課題を解決するために、請求項１に係る発明は、モータ（６）および鋸刃（１）を収納するハウジング（２）と、このハウジング（２）の下方に配置され、ハウジング（２）の前端部に枢軸（３）を介して回動可能に連結された定盤（４）と、定盤（４）の後端部に軸止する枢ピン（２５ｂ）を中心に鋸刃（１）の側面に対し直角に回動可能に定盤（４）に連結され、ハウジング（２）に摺接するガイドリンク（１７）と、このガイドリンク（１７）とハウジング（２）とを固定する固定手段（１９，１９ａ，２０）とからなる切り込み深さ調整機構（５）を有する携帯用電動切断機において、ガイドリンク（１７）が定盤（４）に対し直角に起立するための当接部（２４ｄ，２８）を、定盤（４）とガイドリンク（１７）との間に設けた携帯用電動切断機を提供している。
【０００８】
また、請求項２に係る発明は、請求項１に記載の携帯用電動切断機において、ハウジング（２）は鋸刃（１）を収納するとともに鋸刃（１）の側面に平行な面を有する鋸刃カバー（２ｃ）からなり、ガイドリンク（１７）は、鋸刃カバー（２ｃ）にあって鋸刃（１）の側面に平行な面に摺接するとともに、その後端部（１７ｃ）を定盤（４）の後端部に軸止する枢ピン（２５ｂ）を中心に定盤（４）に対して直角に回動可能な支持部材（２４ｂ）に支軸（１８）を介して連結されている携帯用電動切断機を提供している。
【０００９】
また、請求項３に係る発明は、請求項１または２に記載の携帯用電動切断機において、定盤（４）またはガイドリンク（１７）のいずれか一方の当接部（２４ｄ，２８）を突出部とし、この突出部の突出量を調整可能とした携帯用電動切断機を提供している。
【発明の効果】
【００１０】
請求項１の発明によれば、切り込み深さ調整機構を有する携帯用電動切断機において、ガイドリンクが定盤に対し直角に起立するための当接部を、定盤とガイドリンクとの間に設けたので、部品の寸法誤差、組み立て誤差等によりハウジングが定盤に対し傾斜した場合でも、ガイドリンクが定盤に対し常に直角に起立し、固定手段によりハウジングとガイドリンクを固定するとハウジングがガイドリンクに寄り添っていき、ハウジングの傾斜がガイドリンクにより矯正され、ハウジングに収納された鋸刃の側面が定盤の側縁に平行となるばかりでなく、ハウジングを下方に押し付ける力が働いてもハウジングが傾斜することがないので、加工精度が落ちることが無く、操作性の良い携帯用電動切断機が提供できる。
【００１１】
請求項２の発明によれば、ハウジングは鋸刃を収納するとともに鋸刃の側面に平行な面を有する鋸刃カバーからなり、ガイドリンクは、鋸刃カバーにあって鋸刃の側面に平行な面に摺接するとともに、その後端部を定盤の後端部に軸止する枢ピンを中心に定盤に対して直角に回動可能な支持部材に支軸を介して連結されているので、ガイドリンクの定盤に対する直角を出すための当接部を枢ピンからより離れた位置に設けることができ、直角を決めるための当接部の寸法設定が容易になる。
【００１２】
請求項３の発明によれば、定盤またはガイドリンクのいずれか一方の当接部を突出部とし、この突出部の突出量を調整可能としたので、ガイドリンクの定盤に対する直角を出すための微調整が可能になる。
【発明を実施するための最良の形態】
【００１３】
図１乃至図６に示すように、この携帯用電動切断機の一種である携帯用電動丸鋸は、鋸刃１およびその駆動部を収納したハウジング２と、ハウジング２の下方に配置され、ハウジング２の前端部に枢軸３を介し回動可能に連結された定盤４と、枢軸３を支点にした定盤４の回動を許容し、鋸刃１の定盤４の下方への突出量を加減する切り込み深さ調整機構５とを具備する。
【００１４】
ハウジング２は、モータ６を収納したモータケース２ａ、モーター６から動力を伝達する動力伝達用歯車列（図示せず）を収納したギャケース２ｂ、このギャケース２ｂの右側端部に形成され鋸刃１を収納した鋸刃カバー２ｃを備えている。
【００１５】
モータケース２ａは、携帯用電動丸鋸の左右方向に伸び、その中にモータ６が横置きされる。モータ軸６ａの先端部には始端歯車(図示せず）が形成され、動力伝達用歯車列と連動している。
【００１６】
また、ハウジング２のモータケース２ａの上部には携帯用電動丸鋸を操作するためのハンドル１４が形成されている。ハンドル１４には、この携帯用電動丸鋸を起動或いは停止させるためのスイッチレバー１５が設けられている。鋸刃１の鋸刃軸１ａが支持されるギャケース２ｂの右端には鋸刃１の下半分を覆う安全カバー１６が鋸刃１の鋸刃軸１ａと回転中心を同じくして回動可能に支持されている。この安全カバー１６は、被切断材を切断する際、被切断材に押されて鋸刃カバー２ｃ内へと収納される。
【００１７】
定盤４は、ハウジング２の下方にあって、携帯用電動丸鋸の前後方向に伸び、平面視にて長方形に形成されて配置されている。この長方形の右側長辺を成している定盤４の右側の側縁４ｂは、鋸刃１の側面と平行に配置され、この種の携帯用電動丸鋸を定規を使用し被切断材Ｗを切断する時の定規に沿わすガイド面としての機能を有している。また、定盤４の左右方向中央位置から右側の側縁４ｂに幾らか寄った位置には、側縁４ｂに沿って前後方向に伸びる開口部４ａが形成され、鋸刃１及び安全カバー１６が下方に突出可能となっている。定盤４はハウジング２側と反対の面に、被切断材Ｗ上を摺動する摺動面４ｃを形成している。
【００１８】
定盤４は、ハウジング２に切り込み深さ調整機構５を介して連結されている。具体的には、定盤４の前端部上面にブラケット２３ａが定盤４の摺動面４ｃに対し垂直に左右方向に長く起立し、このブラケット２３ａに軸止する枢ピン２５ａを中心にしてサポータ２４ａを定盤４の摺動面４ｃに対し直角に回動可能に軸支している。このサポータ２４ａには枢軸３が定盤４の摺動面４ｃに平行に、さらにブラケット２３ａに平行に軸支されている。そして定盤４をハウジング２の鋸刃カバー２ｃの前端部に枢軸３を介して上下方向に回動可能に連結している。
【００１９】
一方、定盤４の後端部上面には、ブラケット２３ｂが定盤４の被切断材Ｗと接する摺動面４ｃに対し垂直に左右方向に長く起立している。このブラケット２３ｂには枢ピン２５ｂが軸止され、この枢ピン２５ｂを中心に支持部材としてのサポータ２４ｂがブラケット２３ｂの側面に沿って回動可能に軸支されている。この支持部材としてのサポータ２４ｂは定盤４に対し、特に定盤４の被切断材Ｗと接する摺動面４ｃに対し、直角に回動可能に軸支されている。
【００２０】
図４に二点鎖線で示すように、定盤４は、ハウジング２に対し、サポータ２４ａ，２４ｂを介し枢ピン２５ａ，２５ｂを軸として傾斜可能となっていて、ノブ付きの締め付けネジ２７により所定の傾斜角度でハウジング２に固定される。
【００２１】
図１に示すように、定盤４の後端部に、枢ピン２５ｂを中心に回動可能に軸支されたサポータ２４ｂには、一対の立壁２４ｃが起立し、この立壁２４ｃ間には支軸１８がその軸を中心に回転可能に掛け渡されている。この支軸１８にはガイドリンク１７の後端部１７ｃに形成された孔が嵌合し、支軸１８とガイドリンク１７とを固定ねじ３０により固定し連結している。ガイドリンク１７は、支軸１８を介してサポータ２４ｂと一体化するとともに、支軸１８を軸として定盤４に対し回動可能となっている。
【００２２】
ガイドリンク１７の後端部１７ｃと一対の立壁２４ｃとの間には、一定量の隙間が設けられている。固定ねじ３０を緩めるとガイドリンク１７が支軸１８の軸に沿って隙間分だけ移動可能となっている。この構成により、ガイドリンク１７とハウジング２が後述の固定手段により固定された状態で、ハウジング２が定盤４の側縁４ｂに平行になっていない場合、ガイドリンク１７を支軸１８に沿って移動させることで平行に矯正できる。
【００２３】
さらに、本実施形態のサポータ２４ｂは、図１、図４に示すように、枢ピン２５ｂを基準にブラケット２３ｂに沿って図中、左方向に長く伸びて形成され、その先端部２４ｄはさらに細く絞られ、本発明の当接部を構成している。また、ガイドリンク１７も、サポータ２４ｂを軸支する枢ピン２５ｂから図１中、左に離れた位置に設けられている。
【００２４】
定盤４のサポータ２４ｂの先端部２４ｄに対向する位置には、定盤４の摺動面４ｃ側から上方に向けて調節ねじ２８が貫通し、進退自在に螺合している。そして、調節ねじ２８の先端がサポータ２４ｂの先端部２４ｄに当接し当接部を構成している。この当接により、ガイドリンク１７は、サポータ２４ｂを介して定盤４に対し、図１に示す本携帯用電動丸鋸を後方から見て直角に起立する。
【００２５】
上記のように本発明によるガイドリンク１７は、定盤４に当接することで直角に起立することができ、また、定盤４に当接する位置を、サポータ２４ｂを介して定盤４に軸止する枢ピン２５ｂからよりはなれた位置に設けることができるので、当接部の寸法を微妙に調整しなくても直角に起立し易くなる。さらに、定盤４の当接部が進退自在の調節ねじ２８であるので、ガイドリンク１７を直角に起立させるための微調整が容易にできる。
【００２６】
図１、図５及び図６に示すように、支軸１８によりその後端部１７ｃを軸支されたガイドリンク１７は、鋸刃カバー２ｃと鋸刃１との間にあって、支軸１８を回動軸として定盤４の摺動面４ｃに対し直角に起立した状態で、上下方向に回動可能であり、鋸刃カバー２ｃの内側の側面に接して鋸刃カバー２ｃ内を前方に伸びて設けられている。鋸刃カバー２ｃの内側の側面は、鋸刃１の盤面に平行に形成されている。そして、ガイドリンク１７は、その長さ方向の所望位置で固定手段により鋸刃カバー２ｃと固定され、ハウジング２に固定される。
【００２７】
さらに、ガイドリンク１７は、図５、図６に示すように、鋸刃１の外周縁よりやや大きめの曲率で湾曲したレバーで有り、鋸刃カバー２ｃの内側の側面に向かって貫通したガイド溝１７ａがその長さ方向に伸びて形成されている。また、このガイドリンク１７の材料はアルミ合金等からなり、ハウジング２の重量のみならず、操作者の携帯用電動丸鋸を操作する力等が掛っても容易に変形しないように適度な剛性が与えられている。
【００２８】
固定手段は、図１に示すように、具体的にはボルト１９、ナット２０およびボルト１９の頭部に固定されている操作レバー１９ａからなり、鋸刃カバー２ｃの側面を図中、左右方向に貫通した孔２１にボルト１９が鋸刃カバー２ｃの内側へと貫通し、このボルト１９がガイドリンク１７に取り付けられたナット２０に螺合している。
【００２９】
図５、図６に示すように、ナット２０はガイドリンク１７のガイド溝１７ａを囲むように形成された浅溝１７ｂ内を回り止め状態でスライド可能である。操作レバー１９ａを操作しボルト１９およびナット２０による締め付けを緩めたうえで、定盤４を枢軸３を支点にしてハウジング２の下部に対し接離するごとく回動させると、ガイドリンク１７が支軸１８を中心に鋸刃カバー２ｃ内で上下に回動する。そして、ボルト１９およびナット２０をガイドリンク１７上の所望の位置で締め付けることにより、鋸刃カバー２ｃ、すなわちハウジング２と定盤４との位置関係が固定され、鋸刃１の定盤４の摺動面４ｃから下方への突出が固定される。また、図５に示すように、切り込み深さを最大にした状態では、鋸刃カバー２ｃの後端部２ｅとガイドリンク１７の後端部１７ｃが当接する。
【００３０】
次に上記構成の携帯用電動丸鋸の切り込み深さ調整機構の作用を説明する。
【００３１】
切り込み深さを設定するためには、まず図１に示す固定手段の操作レバー１９ａを緩み方向に回し、鋸刃カバー２ｃとガイドリンク１７の固定を解除する。次に、定盤４を枢軸３を中心に回動させ、所望する切込み深さに鋸刃１を定盤４の摺動面４ｃの下方に突出させる。次に、操作レバー１９ａを締め付け方向に回し鋸刃カバー２ｃとガイドリンク１７を固定すれば切り込み深さの設定が完了する。
【００３２】
この時、鋸刃カバー２ｃすなわちハウジング２が定盤４の側縁４ｂに対し平行でなく傾斜し、本願発明のようにガイドリンク１７が定盤４に当接していない場合には、操作レバー１９ａの締め付けによりガイドリンク１７が鋸刃カバー２ｃに寄り添っていき傾斜するので、ハウジング２が定盤４の側縁４ｂに対し傾斜したままの状態となる。
【００３３】
しかし、本願発明では、ガイドリンク１７がサポータ２４ｂを介して定盤４に当接し、定盤４に対して直角に位置決めされているので、鋸刃カバー２ｃすなわちハウジング２が定盤４の側縁４ｂに対し平行でなく傾斜している状態で操作レバー１９ａの締め付けが行われても、鋸刃カバー２ｃすなわちハウジング２がガイドリンク１７に寄り添っていき、傾斜が矯正され、鋸刃１を収納しているハウジング２が定盤４の側縁４ｂに対し平行となるので、加工精度が落ちることが無く、操作性の良い携帯用電動丸鋸が提供できる。
【００３４】
また、図２に示すように、ガイドリンク１７が鋸刃カバー２ｃ内に完全に収納された状態において、鋸刃カバー２ｃの後端部２ｅがガイドリンク１７の後端部１７ｃに当接しガイドリンク１７を下方に押し付ける力が働いた場合においても、ガイドリンク１７はサポータ２４ｂを介して定盤４に当接しているので、ガイドリンク１７のみならずハウジング２が傾きを生じることがなく、加工精度が落ちることが無い。
【００３５】
なお、上記実施の形態では、当接部の一方を進退可能な調整ねじ２８としたが、単に２つの部材が当接できる構成であれば良く、ねじであるか、単なる平面であるか、あるいは凹凸部であるかを問わない。また、定盤４に調節ねじ２８を設けたが、サポータ２４ｂに同種ねじを設けても良い。さらに一方の当接部をサポータ２４ｂに設けたが、ガイドリンク１７に直接ねじ等の当接部を設けても良い。
【図面の簡単な説明】
【００３６】
【図１】本発明の実施の形態にかかる携帯用電動丸鋸の一部を断面とした平面図。
【図２】図１に示す携帯用電動丸鋸の正面図。
【図３】図１に示す携帯用電動丸鋸の背面図。
【図４】図１に示す携帯用電動丸鋸の左側面図。
【図５】図２に示す携帯用電動丸鋸をハウジングにおける鋸刃カバーの一部を取り外して示す正面図。
【図６】図５に示す携帯用電動丸鋸において切り込み深さを零にした状態を示す正面図。
【図７】従来の携帯用電動丸鋸のハウジングが定盤の側縁に対して傾斜した状態を示す平面図。
【図８】図７に示す従来の携帯用電動丸鋸の左側面図であって、ガイドリンクと鋸刃カバーの関係を示す図。
【図９】図７に示す従来の携帯用電動丸鋸のＡ−Ａ断面矢視図。
【００３７】
１      鋸刃
２      ハウジング
２ｃ    鋸刃カバー
３      枢軸
４      定盤
５      切り込み深さ調整機構
６      モータ
１７    ガイドリンク
１８    支軸
１９    ボルト
１９ａ  操作レバー
２４ｂ  サポータ
２４ｄ  先端部
２５ｂ  枢ピン
２８    調節ねじ
【図１】
2008114392.tif 000003
【図２】
2008114392.tif 000004
【図３】
2008114392.tif 000005
【図４】
2008114392.tif 000006
【図５】
2008114392.tif 000007
【図６】
2008114392.tif 000008
【図７】
2008114392.tif 000009
【図８】
2008114392.tif 000010
【図９】
2008114392.tif 000011